(57)【要約】    【課題】  酵素の保護層となる最外層のイオン性高分子に、その電荷を中和しない範囲内の酵素を含包せしめ、バイオセンサーとして機能するに充分な酵素量を担持させたバイオセンサーを提唱する。繰り返し使用における耐久性をより高めるため、酵素を含包するイオン性高分子層を、その反対のイオン性を有するイオン性高分子でさらに被覆製膜処理したバイオセンサー、そのバイオセンサーの製造方法、さらにはそのバイオセンサーを利用したサイクリック・ボルタンメトリー測定装置を提供する。    【解決手段】  バイオセンサーは、表面をイオン化処理した固体担体に、酵素を含包し該固体担体とは異なるイオン性を有する高分子の被膜と、該酵素を含包した高分子とは異なるイオン性を有する高分子の被膜とが、順次形成されているものである。【選択図】          なし【特許請求の範囲】
【請求項１】
表面をイオン化処理した固体担体に、酵素を含包し該固体担体とは異なるイオン性を有する高分子の被膜と、該酵素を含包した高分子とは異なるイオン性を有する高分子の被膜とが、順次形成されていることを特徴とするバイオセンサー。
【請求項２】
前記固体担体と前記酵素を含包した高分子の被膜との間に、さらに前記固体担体とは異なるイオン性を有する高分子の被膜が少なくとも１層形成されていることを特徴とする請求項１に記載のバイオセンサー。
【請求項３】
前記固体担体が金であることを特徴とする請求項１に記載のバイオセンサー。
【請求項４】
前記酵素がヘムタンパク質であることを特徴とする請求項１に記載のバイオセンサー。
【請求項５】
前記ヘムタンパク質がシトクロームＰ４５０酵素群の中のシトクロームＰ４５０−３Ａ４であることを特徴とする請求項４に記載のバイオセンサー。
【請求項６】
表面修飾剤により固体担体の表面をイオン化し、次いで該固体担体の表面に、酵素を含包し該固体担体とは異なるイオン性を有する高分子の被膜と、該酵素を含包した高分子とは異なるイオン性を有する高分子の被膜とを、順次形成することを特徴とするバイオセンサーの製造方法。
【請求項７】
前記表面修飾剤が、メルカプト基またはスルフィド基を有する有機化合物であることを特徴とする請求項６に記載のバイオセンサーの製造方法。
【請求項８】
さらに、不活性ガス雰囲気下において、−３０℃から５０℃で０．５時間から１日の間エージング処理を行うことを特徴とする請求項６に記載のバイオセンサーの製造方法。
【請求項９】
請求項１〜５のいずれかに記載のバイオセンサーからなる作用極と対極と参照極とが測定試料溶液に投入されてなる電解系セルと、加電圧のポテンショスタット回路と、電流測定・処理回路と、記録計とから構成されたことを特徴とするサイクリック・ボルタンメトリー測定装置。
【発明の詳細な説明】
【技術分野】
【０００１】
本発明は、酵素の選択的かつ特異的な反応性による優れた分子認識機能を利用して、生体的な反応や、その活性度などを評価するバイオセンサー、およびその製造方法に関するものである。
【背景技術】
【０００２】
酵素をバイオセンサーに利用する際に用いられる酵素の固定化方法としては、共有結合法、イオン結合法、物理的吸着法、生化学的特異結合法、架橋法などがあるが、敏感で不安定な酵素の特性に適合する方法としては、イオン結合法が好ましい。
【０００３】
このイオン結合法は物質間の静電気引力によるため、穏和な条件下に処理ができ、酵素への負荷が少ない。なお、酵素のようなタンパク質の電極への直接固定化には吸着変性や電気化学的変性が起こりうるため、タンパク質と電極との間にイオン性高分子層を形成し、高分子層が様々な刺激からタンパク質を保護する役割を果たす方法が提唱されている。非特許文献１に示すＤｅｃｈｅｒらの交互積層法といわれる方法がその例である。
【０００４】
この方法はＫｕｎｉｔａｋｅらにより各種のタンパク質膜作製に応用され、さらにＺｈｅｎｇらの酵素固定化法へと発展してきた。非特許文献２および３にその例を示す。
【０００５】
しかしながら交互積層法では、酵素自体がイオン性高分子と強い電気的相互作用を示すか、物理的化学的にイオン性高分子と強い親和性を有する構造をもたないと、バイオセンサーとして充分な機能を示す吸着量を得がたい。
【０００６】
これらに関連する技術として本発明と直接関連するものはないが、酵素を電極に保持した酵素電極に関する特許は少なくない。
【０００７】
特許文献１には、タンパク質と他のタンパク質との相互作用の解析を電気化学的手法を利用して行う、という課題に対し、基板表面にタンパク質が固定されていることを特徴とする、該表面のタンパク質と特異的な結合を形成するタンパク質を検出するためのタンパクチップが提案されている。しかしながら本方法においては、タンパク質が基板表面上にチオールなどを介して実質的に直接固定されており、タンパク質の変性を充分に抑止しきれない。
【０００８】
特許文献２は電極に近い部分の酵素濃度を高め、測定精度を高めようとしたものであり、特許文献３は電極をスクリーン印刷したものである。これらにおいても電極上における酵素の変性抑制や耐久性については充分ではなく、バイオセンサーあるいは酵素電極としての使用上の制約を充分に解消するものとはなり得ていない。
【０００９】
【特許文献１】特開２００１−２４２１１６号公報
【特許文献２】特開昭５７−１０７８５３号公報
【特許文献３】特開平０６−７８７９１号公報
【非特許文献１】Lvov Y., Essler F., Decher G.,J. Phys. Chem. 97,13773(1993)
【非特許文献２】Yri Lov, Katsuhiko Ariga, Izumi Ichinose, ToyokiKunitake, J. Am. Chem. Soc., 117(1995)
【非特許文献３】Hitao Zheng, Hideo Okada, Syu Nojima,Shin-ichiro Suye, Teruo Hori, Sci. Tech. Adv. Materials, 5, 371(2004)
【発明の開示】
【発明が解決しようとする課題】
【００１０】
従来の技術により、酵素は安定的に電極に固定化されるようになっては来たものの、そのバイオセンサーとしての感度と、繰り返し測定における安定性は依然充分ではない。本発明者らは上述の欠点を改良する方法として本発明に至った。
【００１１】
本発明は、酵素の保護層となる最外層のイオン性高分子に、その電荷を中和しない範囲内の酵素を含包せしめ、バイオセンサーとして機能するに充分な酵素量を担持させたバイオセンサーを提唱するものである。繰り返し使用における耐久性をより高めるため、酵素を含包するイオン性高分子層を、その反対のイオン性を有するイオン性高分子でさらに被覆製膜処理したバイオセンサー、そのバイオセンサーの製造方法、さらにはそのバイオセンサーを利用したサイクリック・ボルタンメトリー測定装置を提供することを目的とする。
【００１２】
本発明では、酵素をバイオセンサーに利用する際の酵素の固定化方法として、穏和な条件下で処理することができ、酵素の負担が少ないイオン結合法を採択する。
【課題を解決するための手段】
【００１３】
前記の目的を達成するためになされた、特許請求の範囲の請求項１に記載されたバイオセンサーは、表面をイオン化処理した固体担体に、酵素を含包し該固体担体とは異なるイオン性を有する高分子の被膜と、該酵素を含包した高分子とは異なるイオン性を有する高分子の被膜とが、順次形成されていることを特徴とする。
【００１４】
請求項２に記載のバイオセンサーは、請求項１に記載されたもので、前記固体担体と前記酵素を含包した高分子の被膜との間に、さらに前記固体担体とは異なるイオン性を有する高分子の被膜が少なくとも１層形成されていることを特徴とする。
【００１５】
請求項３に記載のバイオセンサーは、請求項１に記載されたもので、前記固体担体が金であることを特徴とする。
【００１６】
請求項４に記載のバイオセンサーは、請求項１に記載されたもので、前記酵素がヘムタンパク質であることを特徴とする。
【００１７】
請求項５に記載のバイオセンサーは、請求項４に記載されたもので、前記ヘムタンパク質がシトクロームＰ４５０酵素群の中のシトクロームＰ４５０−３Ａ４であることを特徴とする。
【００１８】
同じく特許請求の範囲の請求項６に記載のバイオセンサーの製造方法は、表面修飾剤により固体担体の表面をイオン化し、次いで該固体担体の表面に、酵素を含包し該固体担体とは異なるイオン性を有する高分子の被膜と、該酵素を含包した高分子とは異なるイオン性を有する高分子の被膜とを、順次形成することを特徴とする。
【００１９】
請求項７に記載のバイオセンサーの製造方法は、請求項６に記載されたもので、前記表面修飾剤が、メルカプト基またはスルフィド基を有する有機化合物であることを特徴とする。
【００２０】
請求項８に記載のバイオセンサーの製造方法は、請求項６に記載されたもので、さらに、不活性ガス雰囲気下において、−３０℃から５０℃で０．５時間から１日の間エージング処理を行うことを特徴とする。
【００２１】
同じく特許請求の範囲の請求項９に記載のサイクリック・ボルタンメトリー測定装置は、請求項１〜５のいずれかに記載のバイオセンサーからなる作用極と対極と参照極とが測定試料溶液に投入されてなる電解系セルと、加電圧のポテンショスタット回路と、電流測定・処理回路と、記録計とから構成されたことを特徴とする。
【発明の効果】
【００２２】
本発明の実施により、バイオセンサーとしての酵素は実質的にいかなる変性も受けることなく、本来有する活性を保持したまま、充分な量が固体担体に保持される。酵素の中でもとりわけ鉄イオンを含むポルフォリン構造を有するヘムタンパク質の場合は、酵素の選択的かつ特異的な反応性を利用して血液中薬剤などの基質を認識して電気信号に変換し、基質の分析を容易かつ高精度なものにする。
【００２３】
また、本発明のバイオセンサーをサイクリック・ボルタンメトリー測定に供することにより、薬物を始めとする外来性異物が生体に与える影響を精度良く安定して分析することが可能になる。
【発明を実施するための最良の形態】
【００２４】
本発明に用いる固体担体としては各種の高分子、ガラスはじめ各種のセラミックス、各種金属成形体などがあり特に限定されるものではないが、とりわけ酵素の分子認識による電気信号を測定する金が有益である。
【００２５】
前記固体担体の表面をイオン化処理する方法としては、メルカプト基またはスルフィド基を有する有機化合物のような表面修飾剤を用いた変性が一般的に用いられる。例えば、清潔な金表面を、メルカプト安息香酸、メルカプトプロピオン酸、メルカプト琥珀酸、ジメチルメルカプト琥珀酸、２−メルカプトエタンスルフォン酸、４−ピリジルチオエタノイックアシッド、チオジエタノイックアシッド、３，３’−チオビスプロパノイックアシッドなどで処理することによるアニオン化、ｐ−メルカプトアニリンで処理して変性するカチオン化などである。
【００２６】
イオン化された担体に反対のイオン性を有するイオン性高分子を被覆製膜処理する方法において、カチオン性高分子としては第１、第２あるいは第３アミノ基およびこれらのアンモニウム基、ピリジニウム基、スルホニウム基、フォスホニウム基などを分子中にもつ高分子が例示されるが、具体的には、ポリエチレンイミン、アミノアセタール化ポリビニルアルコール、イオネンポリマー、ポリ［（ジメチルイミノ）エチレン（ジメチルイミノ）メチレン−１，４−フェニレン−メチレンジクロリド］、ポリ−Ｌ−リシンおよびその塩、ポリジアルキルジアリルアンモニウム塩、ジアルキルジアリルアンモニウム塩−ＳＯ２共重合体、Ｎ−トリアルキルアミノメチルポリスチレン、ポリ−４−ビニルピリジンおよびその塩、ポリ−４−ビニルイミダゾール、キトサンおよびその塩、ポリビニルベンジルス  ルフォニウム塩、ポリビニルベンジルホスホニウム塩などが挙げられる。
【００２７】
アニオン性高分子としては、カルボキシル基、硫酸基、スルホン酸基、リン酸基、ホスホン酸基などのアニオン性基を有する高分子で、具体的にはポリアクリル酸およびその塩、ポリメタクリル酸およびその塩、ペクチン酸、アルギン酸、ポリ−Ｌ−グルタミン酸およびその塩、ヒアルロン酸、ポリスチレンスルホン酸およびその塩、部分スルホン化ポリスチレン、ポリエチレンスルホン酸、ポリビニル硫酸塩、グリオキシル酸による部分アセタール化ポリビニルアルコールなどが挙げられる。
【００２８】
なお、分子鎖中にカチオン基とアニオン基とをともに有する両性高分子電解質、例えば４−ビニルピリジン−メタクリル酸共重合体、ポリ−４−ビニルピリジンベタイン、ポリスルホベタインなどが、イオン性高分子として単独あるいは他のイオン性高分子とともに用いられても差し支えない。
【００２９】
前記固体担体への前記イオン性高分子の被覆製膜処理として、高分子溶液による例えば浸漬法、滴下法、流延法によって前記固体担体の表面に前記イオン性高分子の薄膜を形成する。前記高分子の被膜は、イオン性高分子の種類によって変わるが、膜厚５ナノメートル〜５０ナノメートルであると好ましい。
【００３０】
本発明で使用できる酵素は特に限定されるものではないが、等電点が５．５以下の酸性酵素、同５．６から８．４の範囲の中性酵素、同８．５以上の塩基性酵素が挙げられる。酸性酵素としては例えば亜硝酸レダクターゼ、アルデヒドデヒドロゲナーゼ、シトクロームＰ−４５０類の酵素群たとえばシトクロームＰ４５０ｓｃｃ、シトクロームＰ４５０−２Ｂ４、シトクロームＰ４５０−３Ａ４などの酸化還元酵素、チミジル酸シンテターゼのような転移酵素、アミノペプチターゼ、アミラーゼ、アルカリフォスファターゼ、ウレアーゼ、アセチルコリンエステラーゼ、セルラーゼ、リパーゼ、アスパラギナーゼなどの加水分解酵素など、中性酵素としてはカタラーゼ、ルシフェラーゼのような酸化還元酵素、ＤＮＡポリメラーゼ、ピルビン酸キナーゼ、クレアチンキナーゼのような転移酵素、ホスホリパーゼＣ、ホスホリラーゼのような加水分解酵素など、塩基性酵素としてはガラクトースオキシダーゼのような酸化還元酵素、リボヌクレアーゼＡ、アシルフォスファターゼ、パパインのような加水分解酵素、エノラーゼ、フマル酸ヒドラターゼのような脱離触媒酵素などが挙げられる。
【００３１】
本発明において、前記固体担体が表面をアニオン化処理したサイクリック・ボルタンメトリー測定用の金電極であり、前記酵素を含包するイオン性の高分子がカチオン性高分子であり、かつ前記酵素が酸性のヘムタンパク質であることが最も好ましい組み合わせである。この条件下で最も好ましい酵素はシトクロームＰ−４５０類の酵素であり、とりわけシトクロームＰ４５０−３Ａ４であるとなお好ましい。このシトクロームＰ４５０−３Ａ４は、酵素としては基質特異性が著しく低いもので、臨床医療で使用される薬物の半数以上の代謝を行っている。従ってこのシトクロームＰ−４５０−３Ａ４をバイオセンサーに用いることは、薬物を始めとする外来性異物が生体に与える影響を分析するのに極めて有用性が高い。
【００３２】
前記酵素は、リン酸カリウム系緩衝水溶液の酵素溶液とイオン性高分子の水溶液とを混合によってイオン性高分子に含包され、固定化される。
【００３３】
本発明においては、酵素を包含する最外層のイオン性高分子をさらに異なるイオン性高分子で被覆製膜処理して酵素の脱落を防ぎ、得られるバイオセンサーによる繰り返し測定の耐久性を高める。この場合、酵素含包の被覆製膜金電極を酵素の変性を誘起しない温度範囲で数時間エージングすると、耐久性はさらに高まる。
【００３４】
次いで、本発明のバイオセンサー、およびそのバイオセンサーを電極として使用したサイクリック・ボルタンメトリー測定装置について、図面を参照しながら説明する。
【００３５】
実施例で示す金担体への表面アニオン化剤（３−メルカプトプロピオン酸、３−ＭＰと略す）、カチオン性高分子、および酵素であるシトクロームＰ４５０（ＣＹＰ）の吸着量計測は、図１で示すビアコア１１で行った。ビアコア１１は、マイクロ流露系１２、センサーチップ１３、ガラス１４、リガント１５、光源１６および受光部１７で構成されている。ビアコア１１では該３−ＭＰ、カチオン性高分子およびＣＹＰはそれぞれ濃度と量が（３−ＭＰ）５００μｇ／ｍＬ、５０μＬ；（カチオン性高分子）５０μｇ／ｍＬ、５０μＬ；（ＣＹＰ）３０μｇ／ｍＬ、３０μＬの各水溶液として測定に供され、これらはマイクロ流路系１２と呼ばれる細い流路を通って金担体である表面積１．２ｍｍ２のセンサーチップ１３表面を流された。この操作によりセンサーチップ１３表面は３−ＭＰによってアニオン化され、次いでアニオン化されたセンサーチップ１３表面にカチオン性高分子と酵素とを流すことで、酵素含包高分子の被膜を形成した。
【００３６】
センサーチップ１３表面に分析される試料１８すなわちカチオン性高分子および酵素と化学結合する分子すなわち３−ＭＰが固定されている場合は、センサーチップ１３表面で結合反応が起こりセンサーチップ１３表面の吸着量が増加する。試料１８が流れ終わった後にランニング溶液が流されると吸着物質の解離反応で表面吸着量が減少するが、解離反応が平衡に達した所の吸着量が、分析される試料１８の吸着量である。
【００３７】
以上の吸着・解離過程での表面吸着量の増減は、表面プラズモン共鳴を利用した検出システムによって測定し、吸着量をレスポンスＲＵ（１０００ＲＵ＝１ｎｇ／ｍｍ２）として示す。レスポンスを時間に対してプロットしたものがセンサーグラムである。このセンサーグラムを、図２に示す。
【００３８】
また得られたセンサーグラムでの吸着・解離過程を解析し、フィッティングによる近似を行うと結合定数ＫＡ（単位はＭ−１）が得られる。ＫＡの大きさは吸着での親和性の高さを表す。
【００３９】
金電極に吸着した試料による電気化学的挙動の測定は、図３に示すサイクリック・ボルタンメトリー法（ＣＶ法）によって行った。具体的には図３に示すように、セル２２、作用極２３、対極２４、参照極２５、電解系３１、電流測定・処理回路３２、ポテンショスタット回路３５および記録計３４で構成して測定した。作用極２３は、直径１．６ｍｍの円形表面を有する金電極２７が形成されている。対極２４は、白金で形成されている。参照極２５は、銀―塩化銀の水系参照極で形成されている。
【００４０】
その金電極２７の金表面を粒径５０μｍのアルミナで研磨して清浄な金表面を得た後、これを１０ｍＭの３−ＭＰ２ｍＬ液に３分間浸漬し、軽く表面をふき取った。次いで該３−ＭＰ溶液へさらに１０分間金表面を浸浸してから超純水で洗い流し、窒素ガスで乾燥する処理を２回繰り返して金表面へ３−ＭＰの自己集積単分子膜を形成し、金表面に３−ＭＰによる負電荷を導入した。
【００４１】
その後、積層させるカチオン性高分子あるいは酵素を含有したカチオン性高分子を被覆製膜処理し、更に互いに相異なるイオン性を有するイオン性高分子およびまたは酵素あるいは酵素を含有したイオン性高分子で、順次多層に被覆製膜処理した。イオン性高分子あるいは酵素での３−ＭＰ変性金表面への被覆性膜処理は、カチオン性高分子の場合は１０ｍｇ／ｍＬ、アニオン性高分子の場合は５ｍｇ／ｍＬ、酵素の場合は０．０２ｍＭの各水溶液１０μＬを金表面に滴下し１５分間放置後に超純水で洗い流し、窒素ガスで乾燥させ、さらに同様の滴下、洗浄、乾燥を繰り返して被覆製膜処理を行った。こうして被覆製膜処理した金電極２７上へ超純水２０μＬを滴下し、４℃下に３０分間放置して被覆膜を安定化し、ＣＶ測定に供した。
【００４２】
こうして調整した電極を測定液である超純水に浸し、電位を直線的に繰り返し掃引した。電位の変化は図４−ａの様に０→−０．５→０とし、各電位において流れる電流を計測し図４−ｂのサイクリック・ボルタモグラムを得た。これを解析し、物質の酸化還元電位、電極反応の可逆・不可逆性などの情報を得た。
【００４３】
酸化還元電流の大きさは、反応に関与している酸化還元種の量、すなわち電極へ吸着し電子伝達反応が可能な状態にある酵素の量に対応している。また酸化還元ピーク電位においては、酸化ピーク電位と還元ピーク電位が近いほど、酸化還元反応の可逆性が良く、センサーとして用いた際に迅速な測定が可能なことを示す。酸化ピーク電位と還元ピーク電位の中間電位は、その酸化還元種の酸化還元電位を示す。
これらの関係を、図５に示す。
【実施例】
【００４４】
（実施例１）
３−ＭＰの５０μｇ／ｍＬ水溶液の５０μＬを２３℃にて１０μＬ／ｍｉｎの流速で２回流し、ビアコアの金センサー表面をアニオン化した。次いでカチオン性高分子としてポリ（Ｌ−リシンアンモニウム塩）（ＰＬＬと略す）の５０μｇ／ｍＬ水溶液を１０μＬ／ｍｉｎで２回流して被覆製膜処理した。ついでＣＹＰの３０μｇ／ｍＬ水溶液を１０μＬ／ｍｉｎで２回流してＣＹＰを被覆処理した。これらの積層過程をビアコアによってモニターしてセンサーグラムを得た。その結果を図６に示す。図６の中のＡおよびＢは、３−ＭＰの流れ始めを示し、Ｃは、ＰＬＬの流れ始めを示し、Ｄは、ＣＹＰの流れ始めを示す。
【００４５】
一方で本発明の請求項に該当するものとして、ＰＬＬの５０μｇ／ｍＬ溶液とＣＹＰの１５μｇ／ｍＬ溶液とを同量混合し、酵素ＣＹＰがカチオン性高分子ＰＬＬに含包されたもの５０μＬを、３−ＭＰでアニオン化した金センサー表面に流した場合のセンサーグラムも得た。結果を図７に示す。図７の中のＡおよびＢは、３−ＭＰの流れ始めを示し、Ｃは、ＰＬＬ＋ＣＹＰ３Ａ４の流れ始めを示す。
【００４６】
上記の２つのセンサーグラムからＰＬＬとＣＹＰを順次積層して製膜した場合の積層量はＰＬＬが４０６ＲＵ、ＣＹＰは３７ＵＲであった。一方、本発明のＣＹＰをＰＬＬに包含させた方法ではＰＬＬとＣＹＰの合計量で１２８８ＲＵとなり、この値からＰＬＬだけを積層した場合の４０６ＲＵを差し引くと、ＣＹＰだけでは８８２ＲＵと計算される。本発明の方法による酵素ＣＹＰの金センサー上の吸着量は、順次積層の場合の実に２４倍となった。
【００４７】
ビアコアでの吸着・解離過程の解析で求めた結合定数ＫＡは順次積層のＰＬＬで６．４１×１０６／Ｍであったのに対し、ＣＹＰ含包ＰＬＬは６．１０×１０９／Ｍであり、ＣＹＰ含包ＰＬＬの３−ＭＰ変性表面への親和性が高いことを示した。
【００４８】
次にＣＶの測定を、順次積層とＣＹＰ包含ＰＬＬについて行った。但しＣＹＰ含包ＰＬＬの調整においては１０ｍｇ／ＬのＰＬＬに対してＣＹＰは０．０１ｍＭ水溶液で調合した。順次積層法とＣＹＰ含法ＰＬＬの電気化学反応をサイクリック・ボルタモグラムとして図８に一括して示す。図８の中のＡは還元ピークを示し、Ｂは酸化ピークを示す。順次積層法においては酸化還元の電極応答がほとんど検出できなかったのに対して、本発明によるＣＹＰ含法ＰＬＬでは良好な電極応答が示された。該方法での酸化還元電位は０．３１Ｖであった。
【００４９】
（実施例２）
３−ＭＰでアニオン変性した金電極に、ＣＹＰ包含ＰＬＬを被覆製膜処理したＣＹＰ固定化電極について、薬物などの基質が及ぼす影響をＣＶ法で測定した。
【００５０】
該ＣＶ法による測定では、測定溶液を純水ではなく０．０１ｍｇ／ｍＬの基質を含む１０％ジメチルスルフォアミド水溶液を用いた。基質としては不整脈薬である化１に示すリドカイン、または、ホルモン剤の化２に示すテストステロンを用いた。
【００５１】
【化１】
2008116396.tif 000002
【００５２】
【化２】
2008116396.tif 000003
【００５３】
該薬物２種を作用させた場合のサイクリック・ボルタモグラムを図９に示す。
【００５４】
リドカインの存在によって酸化と還元の各ピーク電位はいずれも約７０ｍＶ高電位側にシフトし、酸化還元電位はリドカインがない場合の−０．２９から−０．２２へ変化した。テストステロンの存在は酸化還元ピークの変化はきわめて少なかった。これはＣＹＰとテストステロンの相互作用が小さことを示す。なお、データは割愛したが、基質としてカルシウム拮抗薬のニフェジピンを作用させた場合は、酸化還元ピークが消失する傾向が示された。
【００５５】
以上の結果から、薬物などの基質の種別と量がサイクリック・ボルタモグラムの解析によって分析できることが示された。
【００５６】
（実施例３）
３−ＭＰでアニオン変性した金電極にＣＹＰ含包ＰＬＬを被覆製膜処理した場合は、ＣＹＰの活性が維持されているが、繰り返しのＣＶ測定で電極応答は次第に低減した。この結果を、図１０に示す。
【００５７】
繰り返し測定での耐久性向上を図り、ＣＹＰ含包ＰＬＬ膜の外層を反対のイオン性を有するアニオン性高分子であるポリ−Ｌ−グルタミン酸ナトリウム塩（ＰＬＧ）によって被覆製膜処理した。ＰＬＧによる被覆性膜処理の方法は、５ｍｇ／ｍＬのＰＬＧ水溶液によりＰＬＬの場合と同様に電極面に処理した。得られた電極によるＣＶ測定の結果を図１１に示す。実施例の電極は、明らかに測定耐久性の改善が認められた。さらに繰り返し測定での耐久性を高めるため、ＰＬＧによる該変性電極を−２０℃で１２時間エージングした。得られた電極によるＣＶ測定の結果を図１２に示す。エージングした電極は、より測定耐久性が向上した。
【図面の簡単な説明】
【００５８】
【図１】ビアコアの測定法を示す模式図である。
【図２】本発明の実施例における試料の吸着量と時間との関係を示すセンサーグラムである。
【図３】サイクリック・ボルタンメトリーの測定方法を示す概略図である。
【図４】本発明の実施例で得られたサイクリック・ボルタモグラムである。
【図５】本発明の実施例で得られたサイクリック・ボルタモグラムである。
【図６】本発明を適用する実施例１における、３−ＭＰ／ＰＬＬ／ＣＹＰ順次積層膜のビアコアセンサーグラムである。
【図７】本発明を適用する実施例１における、３−ＭＰ／ＣＹＰ含包ＰＬＬのビアコアセンサーグラムである。
【図８】本発明を適用する実施例１における、３−ＭＰ／ＰＬＬ／ＣＹＰ順次積層膜と３−ＭＰ／ＣＹＰ含包ＰＬＬ膜とのサイクリック・ボルタモグラムである。
【図９】本発明を適用する実施例２において、薬物２種を作用させたＣＹＰ固定化電極のサイクリック・ボルタモグラムである。
【図１０】本発明を適用する実施例３における、ＣＹＰ含包ＰＬＬ固定化電極のサイクリック・ボルタモグラムである。
【図１１】本発明を適用する実施例３における、ＣＹＰ含包ＰＬＧ固定化電極のサイクリック・ボルタモグラムである。
【図１２】本発明を適用する実施例３における、ＣＹＰ含包ＰＬＧ固定化電極の別なサイクリック・ボルタモグラムである。
【符号の説明】
【００５９】
１１はビアコア、１２はマイクロ流露系、１３はセンサーチップ、１４はガラス、１５はリガント、１６は光源、１７は受光部、１８は試料、２２はセル、２３は作用極、２４は対極、２５は参照極、２６は測定溶液、２７は金電極、３１は電解系、３２は電流測定・処理回路、３４は記録計、３５はポテンショスタット回路である。
【図１】
2008116396.tif 000004
【図２】
2008116396.tif 000005
【図３】
2008116396.tif 000006
【図４】
2008116396.tif 000007
【図５】
2008116396.tif 000008
【図６】
2008116396.tif 000009
【図７】
2008116396.tif 000010
【図８】
2008116396.tif 000011
【図９】
2008116396.tif 000012
【図１０】
2008116396.tif 000013
【図１１】
2008116396.tif 000014
【図１２】
2008116396.tif 000015